(57)【要約】【課題】既知のスヘ゜クトラムアナライサ゛は、１つ又は２つのキャリヤ信号を有する入力信号に関してマルチキャリヤハ゜ワー（ＭＣＰ）測定を行うことができるけれども、ＭＣＰ測定を行うために、各キャリヤ信号の電力は別々に測定されていた。そのため、２つより多いキャリヤ信号が測定されるべきである場合にはエラーになりがちであった。そこで、このような扱いにくい測定フ゜ロセスの問題を克服する。【解決手段】本発明は、スヘ゜クトラムアナライサ゛（１００）のユーサ゛がキャリヤ周波数に対するそれぞれの潜在的な位置を構成することを可能にすることによって、スヘ゜クトラムアナライサ゛が入力信号に存在する各キャリヤ信号に関してＭＣＰ測定を行うことを可能にすることにより、上記の問題を克服する。従って、２つより多いキャリヤ信号を測定する場合に、より効率的で正確な測定が達成され得る。【選択図】図３
2004004031.tif 000002
【特許請求の範囲】
【請求項１】
測定されるべき入力信号を受信するための入力を有するスペクトラム分析ユニット（１００）を含み、前記入力信号が、所定の周波数帯域内に位置するキャリヤ信号を含む測定装置であって、前記スペクトラム分析ユニット（１００）が、前記周波数帯域内における前記キャリヤ信号の位置を含むパラメータのセットを記憶し、及び前記キャリヤ信号に関連する量を測定するために前記パラメータのセットを利用するように構成されていることを特徴とする、測定装置。
【発明の詳細な説明】
【０００１】
【発明の属する技術分野】
本発明は、例えば無線周波（ＲＦ）通信システムの送信チャネルのような、ＲＦチャネルを構成するキャリヤ信号の電力を測定するために利用されるタイプの測定装置に関する。本発明は、例えばキャリヤ信号の電力を測定する方法にも関する。
【０００２】
【従来の技術】
スペクトラム拡散通信システムで使用するための受信機増幅器の製造業者は、開発中に増幅器の出力をテストし、かつ増幅器の製造に関連するプロセスの品質管理を行なう必要がある。これに関して、所定の増幅器によるキャリヤ信号の適正な増幅、及び隣接するキャリヤ信号又は他のキャリヤ信号への増幅されたキャリヤ信号の影響をテストすることが必要である。入力キャリヤ信号の適正な増幅に関する１つのテストは、所定の増幅器により生じる増幅されたキャリヤ信号の所定の周波数帯域内における、及び増幅されたキャリヤ信号の無い所定間隔内における電力の測定を含む。
【０００３】
第１の既知の測定は、隣接チャネルパワー（ＡＣＰ）測定であり、所定の送信チャネルから隣接する送信チャネルへの絶対的な漏れ電力の測定である。しかしながら、ＡＣＰ測定は単一キャリヤ信号に対してのみ行なわれ、１つより多いチャネルが存在する場合、絶対電力は主キャリヤ信号に対してのみ測定される。
【０００４】
第２の既知の測定は、マルチキャリヤパワー（ＭＣＰ）測定であり、２つの送信チャネルにおける絶対電力、及び隣接する送信チャネルへの絶対的な漏れ電力の測定である。しかしながら、ＭＣＰ測定は、現在２つのキャリヤ信号の測定に制限されており、２つのキャリヤ信号のそれぞれは、５ＭＨｚの帯域幅及び１５ＭＨｚの最大分離を有する。
【０００５】
【発明が解決しようとする課題】
ここで、２つより多いキャリヤ信号を用いる現存の多数のＲＦ通信システム規格（「無線規格」）、例えば、広帯域符号分割多重アクセス（Ｗ−ＣＤＭＡ）、ＩＳ−９５及びｃｄｍａ２０００が与えられた場合、前述のような測定を実行するために設計されたテスト装置は、所定の無線規格のすべてのキャリヤ信号に対して電力の有意義な測定を行うことができず、又は２つより多いキャリヤ信号が存在する場合に所定の無線規格のすべてのキャリヤ信号の測定を自動的に行うことができない。
【０００６】
【課題を解決するための手段】
本発明の第１の態様によれば、測定されるべき入力信号を受信するための入力を有するスペクトラム分析ユニットを含み、前記入力信号が所定の周波数帯域内に位置するキャリヤ信号を含む、測定装置が提供され、この測定装置は、前記スペクトラム分析ユニットが、前記周波数帯域内におけるキャリヤ信号の位置を含むパラメータのセットを記憶し、及び前記キャリヤ信号に関連する量を測定するために前記パラメータのセットを利用するように構成されていることを特徴とする。
【０００７】
好適には、前記パラメータのセットは、前記キャリヤ信号の帯域幅をさらに含む。
【０００８】
好適には、前記パラメータのセットは、測定帯域幅をさらに含み、前記スペクトラム分析ユニットは、実質的に前記測定帯域幅にわたって量を測定するように構成されている。特に好適には、前記測定帯域幅は、積分帯域幅である。
【０００９】
好適には、前記パラメータのセットは、前記パラメータのセットの識別をさらに含む。
【００１０】
好適には、前記パラメータのセットは、前記所定の周波数帯域内の位置における前記キャリヤ信号の存在の表示をさらに含む。
【００１１】
好適には、前記パラメータのセットは、前記キャリヤ信号が基準キャリヤ信号であるという識別をさらに含む。
【００１２】
好適には、前記パラメータのセットは、基準キャリヤ信号の位置に対応する周波数の識別をさらに含む。
【００１３】
好適には、前記入力信号は、２つより多いキャリヤ信号を含み、前記パラメータのセットは、前記周波数帯域内に前記２つより多いキャリヤ信号のそれぞれの位置をさらに含む。
【００１４】
好適には、キャリヤ周波数に関連する測定されるべき特性は、電力である。
【００１５】
好適には、前記パラメータのセットは、ユーザ定義可能である。前記パラメータのセットは、例えばプログラマブル計測器用標準コマンド（ＳＣＰＩ）の命令を利用して遠隔的に設定され得る。
【００１６】
好適な実施形態において、本発明の第１の態様にしたがって前述したような測定装置を含むスペクトラムアナライザが提供される。
【００１７】
本発明の第２の態様によれば、測定されるべき入力信号を受信するための入力を有するスペクトラム分析ユニットを含む測定装置のための測定方法が提供され、その方法は、入力信号を受信するステップを含み、その入力信号は、所定の周波数帯域内に位置するキャリヤ信号を含み、前記方法は、前記周波数帯域内における前記キャリヤ信号の位置を含むパラメータのセットを記憶し、及び前記キャリヤ信号に関連する量を測定するために、前記パラメータのセットを利用することによって特徴付けられる。
【００１８】
本発明の第３の態様によれば、本発明の第２の態様にしたがって前述したような方法をコンピュータに実行させるように構成されたコンピュータプログラムコード手段を含むコンピュータプログラム要素が提供される。
【００１９】
好適には、前記コンピュータプログラム要素は、コンピュータ読取り可能な媒体上に具体化される。
【００２０】
したがって、無線規格において、特に２つより多いキャリヤ信号を測定すべき場合に、使用されるキャリヤ信号に関してＭＣＰ測定をユーザが実行することができる測定装置及びそのための方法を提供することができる。本発明は、それぞれのキャリヤ信号の電力を別々に測定する必要性をなくし、それにより速度を大幅に増大し、ひいてはＭＣＰ測定の効率を大幅に高める。さらに、所定の周波数帯域内におけるキャリヤ信号及び間隔（キャリヤ信号の不在）のあらゆる組合せに関して測定を行なうことができる。また、ユーザが種々の帯域幅のキャリヤ信号を測定できることによって、ユーザに一層大きな融通性も提供される。なぜなら、以前に可能であったものに比べて、より多数の異なった無線規格のキャリヤ信号を測定でき、キャリヤ信号の帯域幅が無線規格間で変化するからである。さらに、構成パラメータの別個のセットは、それぞれのキャリヤ信号／間隔に対して容易にアクセス／入力することができるので、キャリヤ信号の測定における効率も改善される。さらなる効率は、測定を行なう前にパラメータのすべての又は実質的にすべてのセットを設定する能力によって達成され、それにより連続的な中断のない測定を行なうことが可能になる。ＳＣＰＩ命令の利用によって、単一のＳＣＰＩ命令を利用して複数の位置に対して所定のパラメータを設定することが可能になり、したがって測定処理の効率も改善される。
【００２１】
【発明の実施の形態】
添付図面に関連して、単なる例示のために本発明の少なくとも１つの実施形態を説明する。
【００２２】
図１を参照すると、スペクトラムアナライザ１００は、出力装置、例えば陰極線管（ＣＲＴ）１０４、及び入力装置、例えばキーパッド１０６に結合されたマイクロプロセッサ１０２を含む。マイクロプロセッサ１０２は、第１の記憶装置、例えばランダムアクセスメモリ（ＲＡＭ）１０８のような揮発性メモリ、及び第２の記憶装置、例えば読出専用メモリ（ＲＯＭ）１０９のような不揮発性メモリにも結合される。もちろんＲＡＭ１０８及び／又はＲＯＭ１０９に代わって、又はそれらに加えて、他の記憶手段を使用できることは明らかである。スペクトラムアナライザ１００は、ケーブル１１２が接続され得る入力ポート１１０を提供し、ケーブルは、測定されるべき入力信号１１１が入力ポート１１０に伝搬できる伝搬媒体を構成する。入力ポート１１０は、マイクロプロセッサ１０２に結合される。
【００２３】
キーパッド１０６は、数字キー１１４；ＣＲＴ１０４の右側に表示された長方形のグラフィックメニュー４００（図４）に隣接して配置されたナビゲーションキー、例えば「ソフト」キー１１６；及び所定の入力を確認するための「エンター」キー１１８のアレイを含む。
【００２４】
動作において（図２）、ユーザは、スペクトラムアナライザ１００の電源を投入する（ステップ２００）。電源投入の際、ＭＣＰ測定を実施するための選択が、長方形グラフィックメニュー４００のパネル（図示せず）に現われ、この選択は、パネルに隣接するソフトキー１１６の１つ（以後「ＭＣＰ測定キー」と称する）を押下することによって選択することができる。続いてケーブル１１２の一方の端部が、入力ポート１１０に取り付けられ、ケーブル１１２の他方の端部は、入力信号１１１の源、例えばマルチキャリヤ増幅器に結合される。この例において入力信号は、それぞれ所定の間隔だけ離れた４つのキャリヤ信号を含むスペクトラム拡散信号である。間隔は、キャリヤ信号の無いことである。任意の無線規格、例えばＷ−ＣＤＭＡにおいて、所定の周波数帯域内に、多数の潜在的な位置が設けられており、位置は、所定のスペクトラム間隔だけスペクトラム的に離されている。多数の位置のそれぞれにおいて、キャリヤ信号は、存在しても、又はしなくてもよく、キャリヤ信号電力の不在は、「間隔（スペース）」として知られている。
【００２５】
入力信号１１１のＭＣＰ測定を行なうために、ユーザは、ＭＣＰ測定キーを押す（ステップ２０２）。ＭＣＰ測定キーの押下に応答して、マイクロプロセッサ１０２は、パラメータのデフォルトセットを検索する（ステップ２０４）。パラメータのデフォルトセットが、入力信号１１１に対応しないか、又は測定のために不適当である場合、ユーザは、「ソフト」キー１１６を利用してＭＣＰ測定メニュー３００（図３）を介してナビゲートすることによって、パラメータのデフォルトセットを変えることができ、かつ数字キー１１４及びエンターキー１１８のアレイを利用してパラメータのデフォルトセットのデフォルト値を修正することができる。
【００２６】
図３を参照すると、ＭＣＰ測定メニュー３００は、測定パラメータを設定するための複数のオプション（選択）を含む。いくつかの測定パラメータは、入力信号が２つより多い測定されるべきキャリヤ信号を含む場合に、入力信号の測定に直接的に関係する。他の測定パラメータは、一般に任意の数のキャリヤ信号におけるＭＣＰ測定を行なうことに関係し、かつ当該技術分野において知られており、それ以上の詳細な説明を必要としない。このような既知の測定パラメータの例は、アジレント（登録商標）Ｅ４４０２又はＥ４４４０のスペクトラムアナライザのレンジに見出すことができる。
【００２７】
図４を参照すると、ＭＣＰ測定キーを押す際、メニュー選択のセットは、ＣＲＴ１０４によって表示されるウインドウ４０２の右側に、長方形のグラフィックメニュー４００においてユーザに提供される。
【００２８】
ソフトキー１１６の機能性は、長方形のグラフィックメニュー４００に提供されるメニュー選択に依存しており、メニュー選択が変化すると、ソフトキー１１６のそれぞれの機能性も変化する。また、ウインドウ４０２は、すべて又は一部の入力信号４０６のスペクトラムを表示するために、ほぼ中央にある長方形グラフィックフレーム４０４を含む。ほぼ中央にある長方形グラフィックフレーム４０４の下には、ユーザにＭＣＰ測定の結果を提供するために、結果フレーム４０８が表示される。
【００２９】
上述のように、ＭＣＰ測定キーを最初に押した際、ユーザにメニュー選択が提供され、メニュー選択の第１のセット３０２が、電力の測定を構成するために使われる。メニュー選択の第１のセット３０２のそれぞれの選択は、メニューフレーム４００における別個のパネル４１０に提示される。メニュー選択の第１のセット３０２は、アジレント（登録商標）Ｅ４４０２又はＥ４４４０のスペクトラムアナライザのレンジのメニュー選択の既知の第１のセットと、次の点において相違している。すなわちキャリヤセットアップ（Ｃａｒｒｉｅｒ　Ｓｅｔｕｐ）パネル３０４が設けられ、「キャリヤ結果（Ｃａｒｒｉｅｒ　Ｒｅｓｕｌｔ）」パネル３０６が設けられ、キャリヤ結果パネル３０６が結果フレーム４０８に表示される結果を通してスクロールするために利用されるという点である。メニュー選択の第１のセットにより、ユーザが選択して編集することが可能になり、メニュー選択の第２のセット３０８は、測定プロセスのさらなる構成のためであり、メニュー選択の第３のセット３１０は、キャリヤ信号の側面に位置する周波数のオフセットと帯域の構成のためである。第１、第２及び第３のメニュー選択３０２、３０８、３１０における構成パラメータは、アジレント（登録商標）Ｅ４４０２又はＥ４４４０のスペクトラムアナライザのレンジから知られており、そのため本明細書においてさらに説明しない。
【００３０】
ＭＣＰ測定の実行を必要とするユーザによって工夫されたテスト方式にしたがって、ユーザは、当該技術分野において知られているように、メニュー選択の第１、第２及び第３のセット３０２、３０８、３１０に含まれる既知の測定パラメータを構成する。メニュー選択の第１のセット３０２からキャリヤセットアップパネル３０６を選択することによって、ユーザには、複数のキャリヤ信号、例えば２つより多いキャリヤ信号に関してＭＣＰ測定を行なうようにＭＣＰ測定を構成するためのメニュー選択の第４のセット３１２が提供される。メニュー選択の第４のセット３１２は、測定されるべき入力信号から複数のキャリヤ信号を選択するための第１のパネル３１４を含む。第２のパネル３１６は、基準キャリヤ信号として、複数のキャリヤ信号から１つのキャリヤ信号を選択することを可能にし、複数のキャリヤ信号からもっとも強力なキャリヤ信号を選択することによって、特定のキャリヤ信号は選択されることができ、又はスペクトラムアナライザ１００は、基準キャリヤ信号を自動的に選択するように設定され得る。第３のパネル３１８は、ユーザが基準キャリヤ信号の中心周波数を手動で選択することを可能にし、又はスペクトラムアナライザ１００が基準キャリヤ信号の中心周波数を選択することを可能にする。第４のパネル３２０は、ユーザが複数のキャリヤ信号のそれぞれのキャリヤ信号を構成するためにメニュー選択の第５のセット３２２にアクセスすることを可能にする。測定のために必要ならば、間隔は、極めて小さな電力のキャリヤ信号とも考えられ得ることは理解されるべきである。
【００３１】
構成の設定は、それぞれの潜在的な位置に対して、例えばキャリヤ信号に対して施され、特定の潜在的な位置の選択は、第５のパネル３２４を利用して達成される。それぞれの潜在的な位置は、第５のパネル３２４を利用した入力を通してスクロールすることによってアクセスされ得る。第５のパネル３２４を利用して、特定の潜在的な位置が選択されると、キャリヤ電力存在フラグ、キャリヤ信号帯域幅設定、及び積分帯域幅設定が、それぞれ第６のパネル３２６、第７のパネル３２８及び第８のパネル３３０においてユーザに提示される。
【００３２】
第６のパネル３２６のキャリヤ電力存在フラグは、特定の潜在的な位置が間隔であるか、又はキャリヤ信号を含んでいるかを、スペクトラムアナライザ１００に知らせるために使用される。特定の潜在的な位置が間隔を含むか、又はキャリヤ信号を含むかどうかに関係なく、キャリヤ信号帯域幅は、数字キー１１４を利用して第７のパネル３２８に適切に入力することによって、特定の潜在的な位置に属するものとすることができる。したがって、必要ならば、キャリヤ信号帯域幅内の特定の位置における電力は、依然として測定され得る。同様に特定の潜在的な位置におけるキャリヤ信号又は間隔の電力を測定するために、（キャリヤ信号）積分帯域幅は、数字キー１１４を利用して第８のパネル３３０に適切に入力することによって提供され得る。上記のデータ入力ステップは、入力信号の測定のためにそれぞれの潜在的な位置を構成するために、それぞれの潜在的な位置ごとに繰返すことができる。
【００３３】
図２に戻って参照すると、潜在的な位置の構成の完了が判定されると（ステップ２０６）、潜在的な位置を構成するために作られたパラメータのセットの設定は、スペクトラムアナライザ１００によって供給され（ステップ２０８）、そうでなくてデフォルト設定が変更されていない場合には、デフォルト設定が使用される。
【００３４】
設定によれば、スペクトラムアナライザ１００は、周波数の所定の帯域幅を掃引し（ステップ２１０）、デフォルト設定が変更されたかどうかを再び判定する（ステップ２１２）。デフォルト設定がユーザによって変更された場合、潜在的な位置を構成するためにユーザによって行なわれる設定は、スペクトラムアナライザ１００によって供給され（ステップ２０８）、かつスペクトラムアナライザ１００は、もう一度掃引を行なう（ステップ２１０）。掃引の実行のため、設定が変更されていないと判定された場合、スペクトラムアナライザ１００は、当該技術分野において既知のＭＣＰ測定方法にしたがって、それぞれのキャリヤ信号／間隔に対する電力及び任意の選択されたオフセットを測定する（ステップ２１４）。ＭＣＰ測定が完了すると、スペクトラムアナライザ１００は、パラメータのセットの設定が変更されたかどうかをもう一度判定する（ステップ２１６）。設定が変更された場合、ステップ２０８〜２１４が繰返され、そうでなければ、スペクトラムアナライザ１００は、結果フレーム４０８にＭＣＰ測定の結果を表示する（ステップ２１８）。次に、スペクトラムアナライザは、繰返された掃引を行なうべきかどうかを判定し（ステップ２２０）、そうであれば、ステップ２１０〜２１８が繰返され、そうでなければ、ＭＣＰ測定は完了する。
【００３５】
上述の例において、構成パラメータは、２つより多いキャリヤ信号を含む入力信号に関してＭＣＰ測定を行なうために設定されたが、個々の潜在的な位置を構成する原理が他の量の測定に適用できることは理解されるべきである。
【００３６】
本発明の代替の実施形態は、コンピュータシステムで使用するためのコンピュータプログラム製品として実現されることができ、コンピュータプログラム製品は、例えばディスケット、ＣＤ−ＲＯＭ、ＲＯＭ又は固定ディスクのような有形のデータ記録媒体に記憶された一連のコンピュータ命令であり、又はコンピュータデータ信号に具体化されており、信号は、有形の媒体又は無線媒体、例えばマイクロ波又は赤外線を介して伝送される。一連のコンピュータ命令は、上述した機能のすべて又は一部を構成することができ、半導体、磁気、光学又は他のメモリ装置のような揮発性又は不揮発性の任意のメモリ装置にも記憶され得る。
【００３７】
本発明を要約すると次のようになる。既知のスペクトラムアナライザは、１つ又は２つのキャリヤ信号を有する入力信号に関してマルチキャリヤパワー（ＭＣＰ）測定を行うことができる。しかしながら、ＭＣＰ測定を行うために、各キャリヤ信号の電力は別々に測定されており、結果として２つより多いキャリヤ信号が測定されるべきである場合にエラーになりがちな扱いにくい測定プロセスとなっていた。本発明は、スペクトラムアナライザ（１００）のユーザがキャリヤ周波数に対するそれぞれの潜在的な位置を構成することを可能にすることによって、スペクトラムアナライザが入力信号に存在する各キャリヤ信号に関してＭＣＰ測定を行うことを可能にすることにより、それらの問題を克服する。したがって、２つより多いキャリヤ信号を測定する場合に、より効率的で正確な測定が達成され得る。
【００３８】
以下においては、本発明の種々の構成要件の組み合わせからなる例示的な実施形態を示す。
１．測定されるべき入力信号を受信するための入力を有するスペクトラム分析ユニット（１００）を含み、前記入力信号が、所定の周波数帯域内に位置するキャリヤ信号を含む測定装置であって、前記スペクトラム分析ユニット（１００）が、前記周波数帯域内における前記キャリヤ信号の位置を含むパラメータのセットを記憶し、及び前記キャリヤ信号に関連する量を測定するために前記パラメータのセットを利用するように構成されていることを特徴とする、測定装置。
２．前記パラメータのセットが、前記キャリヤ信号の帯域幅をさらに含む、上記１に記載の装置。
３．前記パラメータのセットが、測定帯域幅をさらに含み、前記スペクトラム分析ユニット（１００）が、実質的に前記測定帯域幅にわたって前記量を測定するように構成されている、上記１又は２に記載の装置。
４．前記パラメータのセットが、前記パラメータのセットの識別をさらに含む、上記１〜３のいずれか１つに記載の装置。
５．前記パラメータのセットが、前記所定の周波数帯域内の前記位置における前記キャリヤ信号の存在の表示をさらに含む、上記１〜４のずれか１つに記載の装置。
６．前記パラメータのセットは、前記キャリヤ信号が基準キャリヤ信号であるという識別をさらに含む、上記１〜５のいずれか１つに記載の装置。
７．前記パラメータのセットが、基準キャリヤ信号の位置に対応する周波数の識別をさらに含む、上記１〜５のいずれか１つに記載の装置。
８．前記入力信号が、２つより多いキャリヤ信号を含み、前記パラメータのセットが、前記周波数帯域内に前記２つより多いキャリヤ信号のそれぞれの位置をさらに含む、上記１〜７のいずれか１つに記載の装置。
９．前記キャリヤ周波数に関連する測定されるべき特性が、電力である、上記１〜８のいずれか１つに記載の装置。
１０．前記パラメータのセットが、ユーザ定義可能である、上記１〜９のいずれか１つに記載の装置。
１１．上記１〜１０のいずれか１つに記載したような測定装置を含む、スペクトラムアナライザ。
１２．測定されるべき入力信号を受信するための入力を有するスペクトラム分析ユニット（１００）を含む測定装置のための測定方法であって、
所定の周波数帯域内に配置されたキャリヤ信号を含む入力信号を受信するステップとからなり、その方法が、
前記周波数帯域内における前記キャリヤ信号の位置を含むパラメータのセットを記憶し、及び
前記キャリヤ信号に関連する量を測定するために、前記パラメータのセットを利用する（２０８、２１０）ことによって特徴付けられる、測定方法。
１３．上記１２に記載された方法をコンピュータに実行させるように構成されたコンピュータプログラムコード手段を含む、コンピュータプログラム要素。
１４．コンピュータ読取り可能媒体上に具体化された、上記１３に記載のコンピュータプログラム要素。
【００３９】
【発明の効果】
本発明によれば、無線規格において、特に２つより多いキャリヤ信号を測定すべき場合に、使用されるキャリヤ信号に関してＭＣＰ測定をユーザが実行することができる測定装置及びそのための方法が提供される。本発明は、それぞれのキャリヤ信号の電力を別々に測定する必要性をなくし、それにより速度を大幅に増大し、ひいてはＭＣＰ測定の効率を大幅に高める。さらに、所定の周波数帯域内におけるキャリヤ信号及び間隔（キャリヤ信号の不在）のあらゆる組合せに関して測定を行なうことができる。また、ユーザが種々の帯域幅のキャリヤ信号を測定できることによって、ユーザに一層大きな融通性も提供される。なぜなら、以前に可能であったものに比べて、より多数の異なった無線規格のキャリヤ信号を測定でき、キャリヤ信号の帯域幅が無線規格間で変化するからである。さらに、構成パラメータの別個のセットは、それぞれのキャリヤ信号／間隔に対して容易にアクセス／入力することができるので、キャリヤ信号の測定における効率も改善される。さらなる効率は、測定を行なう前にパラメータのすべての又は実質的にすべてのセットを設定する能力によって達成され、それにより連続的な中断のない測定を行なうことが可能になる。ＳＣＰＩ命令の利用によって、単一のＳＣＰＩ命令を利用して複数の位置に対して所定のパラメータを設定することが可能になり、したがって測定処理の効率も改善される。
【図面の簡単な説明】
【図１】本発明の実施形態を構成する装置の略図である。
【図２】図１の装置の電力測定方法のフローチャートである。
【図３】図１の装置のパラメータを設定するためのメニュー選択の略図である。
【図４】使用中における図１の装置のスクリーンの図である。
【符号の説明】
１００　スペクトラムアナライザ
１０２　マイクロプロセッサ
１０４　ＣＲＴ
１０６　キーパッド
１０８　ＲＡＭ
１０９　ＲＯＭ
１１０　入力ポート
１１２　ケーブル
【図１】
2004004031.tif 000003
【図２】
2004004031.tif 000004
【図３】
2004004031.tif 000005
【図４】
2004004031.tif 000006